(57)【要約】      （修正有）【課題】より安定に手で支えながら食器やシンク等の狭い範囲の汚れを効率的に落とすことができるスポンジたわしを提供する。【解決手段】スポンジたわし１は、三角柱形状からなり、その両側面２，５の三角平面の、一のコーナー角度は８０〜１００度、他の一のコーナー角度は２０〜４０度であり、かつ、スポンジたわしの厚み７が４０ｍｍ以上１２５ｍｍ以下にする。【選択図】図１
0003190326.tif 000002
【実用新案登録請求の範囲】
【請求項１】
食器等の洗浄のために使用するスポンジたわしにおいて、
前記スポンジたわしは、三角柱形状からなり、その両側面の三角平面の、一のコーナー角度は８０〜１００度、他の一のコーナー角度は２０〜４０度であり、かつ、
スポンジたわしの厚みが４０ｍｍ以上１２５ｍｍ以下であること
を特徴とするスポンジたわし。
【請求項２】
前記両側面となる三角平面のコーナー部分に丸み又は切断面を有することを特徴とする請求項１に記載のスポンジたわし。
【請求項３】
空隙率が９３．４％〜９８．３％のスポンジを用いることを特徴とする請求項１〜２のいずれかに記載のスポンジたわし。
【考案の詳細な説明】
【技術分野】
【０００１】  本考案は、食器やシンク等の汚れを落とす洗浄用スポンジたわしに関する。
【背景技術】
【０００２】  従来、スポンジたわしは、一般的に長方形体の形状のものが知られている。この長方形体のスポンジたわしを使用した場合、食器やシンク等の狭い範囲の汚れに対して、スポンジたわしを接触させることが困難であり、効率的に汚れを落とすことができないという問題があった。【０００３】  このような問題を解決するために、実用新案文献１には、所定の厚さを有した三角柱形状で、ユーザーの手の平の形状に合わせた角度とし、他の各コーナー角度を鋭角としたことを特徴とするスポンジたわしが提案されている（実用新案文献１）。【０００４】  ところで、実用新案文献１には三角柱形状のスポンジたわしの所定の厚さに関する明確な記載はない。例えば、実用新案文献１の添付図面に記載されているような人差し指と中指の合計程度の厚み（３０ｍｍ以上４０ｍｍ未満（実用新案文献１、図３及び図４））では、スポンジたわしを人差し指と中指のみでスポンジを支えることとなる。したがって、人差し指、中指、薬指で上面１を支え、上面２を手の平で保持し、親指、小指で側面１及び側面２の両側面を支えることができず、より安定にスポンジたわしを支えることはできなかった。【０００５】  すなわち、従来の技術では、より安定にスポンジたわしを手で支えながら食器やシンク等の狭い範囲の汚れに対してスポンジたわしを接触させて食器やシンク等の汚れを効率的に落とすことができるスポンジたわしを供給することはできなかった。【０００６】  また、従来から、スポンジたわしを使用して食器等を洗浄した後のスポンジたわしに付着した水の切りが遅いと、雑菌の繁殖を促進させ悪臭を発生させる要因ともなるため、スポンジたわしに付着した水の切りを早くすることが求められている。【０００７】  すなわち、従来の技術では、より安定にスポンジたわしを手で支えながら食器やシンク等の狭い範囲の汚れに対してスポンジたわしを接触させて食器やシンク等の汚れを効率的に落とし、かつ、スポンジたわしに付着した水を早く切ることができるスポンジたわしを供給することはできなかった。
【先行技術文献】
【実用新案文献】
【０００８】
【実用新案文献１】
実用新案登録第３０２３７１１号
【考案の概要】
【考案が解決しようとする課題】
【０００９】  本考案は、上記課題を解決するものであり、より安定にスポンジたわしを手で支えながら食器やシンク等の狭い範囲の汚れに対してスポンジたわしを接触させて食器やシンク等の汚れを効率的に落とすことができるスポンジたわしを供給することを目的とする。
【課題を解決するための手段】
【００１０】  上記課題を解決するために、本考案に係る食器等の洗浄のために使用するスポンジたわしは、
三角柱形状からなり、その両側面の三角平面の、一のコーナー角度は８０〜１００度、他の一のコーナー角度は２０〜４０度であり、スポンジたわしの厚みが４０ｍｍ以上１２５ｍｍ以下であること
を特徴としている。【００１１】  以上のように構成された本考案に係るスポンジたわしによれば、人差し指、中指、薬指で上面１を支え、上面２を手の平で保持し、親指、小指で側面１及び側面２の両側面を支えることができるため、さらに安定に手で支えることのできるスポンジたわしを提供することができる。【００１２】  また、本考案に係るスポンジたわしでは、前記スポンジたわしの厚みが５０ｍｍ以上１００ｍｍ以下であることがより好ましい。このような構成とすることで、人差し指、中指、薬指で上面１をより支え易く、上面２を手の平で保持し、親指、小指で側面１及び側面２の両側面を支えることができるため、さらにより安定に手で支えることのできるスポンジたわしを提供することができる。【００１３】  また、本考案に係るスポンジたわしでは、前記両側面となる三角平面の各コーナー部分に丸みを持たせる又は切断することができる。このような構成にすることにより、よりスポンジたわし１をユーザーの手の平にフィットさせることができるとともに、コーナー部分の破損を低減し、長期間使用することができるようになる。【００１４】  また、本考案に係るスポンジたわしでは、空隙率が９３．４％〜９８．３％のスポンジを用いることができる。このような構成にすることにより、スポンジたわしを使用して食器等を洗浄した後のスポンジたわしに付着した水の切りを早くすることができ、雑菌の繁殖を低減させ、悪臭の発生を抑制することができる。さらに、圧縮が容易になることで、スポンジたわしが食器等によりフィットしながら洗うことができ、大きい食器から小さい食器まで洗うことができる。加えて、空隙率が９３．４％〜９８．３％のスポンジを用いることにより、高い耐久性を維持することができる。
【考案の効果】
【００１５】  以上、説明したように、本考案に係るスポンジたわしによれば、より安定にスポンジたわしを手で支えながら食器やシンク等の狭い範囲の汚れに対してスポンジたわしを接触させて食器やシンク等の汚れを効率的に落とすことができるスポンジたわしを供給することができる。
【図面の簡単な説明】
【００１６】
【図１】本考案の一実施形態に係るスポンジたわしを示す斜視図である。
【図２】本考案の一実施形態に係るスポンジたわしを示す（ａ）は正面図、（ｂ）は同右側面、（ｃ）は同左側面図、（ｄ）は同背面図、（ｅ）は同底面図、（ｆ）は同平面図である。
【図３】本考案の一実施形態に係るスポンジたわしを手で掴んだ状態を示す参考斜視図である。
【考案を実施するための形態】
【００１７】  以下、本考案の一実施の形態について説明する。
【００１８】  図１は本考案の一実施形態に係るスポンジたわし１を示す斜視図、図２は、（ａ）はスポンジたわし１の正面図、（ｂ）は同右側面、（ｃ）は同左側面図、（ｄ）は同背面図、（ｅ）は同底面図、（ｆ）は同平面図である。スポンジたわし１の両側面の各コーナーは、ユーザーの手の平の形状にフィットさせるために、各コーナー１ａ、１ｂ、１ｃの角度が、各９０度、３０度、６０度となるように形成されている。各コーナー１ａ乃至１ｃの角度は、上記角度に設定すれば、最もユーザーの手の平の形状にフィットさせることができるが、スポンジたわし１の形状がユーザーの手の平の形状にフィットする形状となるならば、上記角度に限定されることなく設定可能である。例えば、コーナー１ａが８０〜１００度、コーナー１ｂが２０〜４０度となるように形成し、コーナー１ｃを、コーナー１ａ及び１ｂの角度に応じて特定すれば、スポンジたわし１をユーザーの手の平にフィットさせることができる。コーナー１ａ、コーナー１ｂの形状は、丸みを持たせた形状とし、コーナー１ｃの形状は、三角平面のコーナー部分を切断することにより、コーナー部分の破損を低減するようにしている。
【００１９】  スポンジたわしの厚みが４０ｍｍ以上１２５ｍｍ以下としている。このような厚みにすることで、人差し指、中指、薬指で上面１を支え、上面２を手の平で保持し、親指、小指で側面１及び側面２の両側面を支えることができるため、安定に手で支えることのできるスポンジたわしを提供することができる。
【００２０】  さらに、スポンジたわしの厚みが５０ｍｍ以上１００ｍｍ以下であることがより好ましい。このような構成とすることで、人差し指、中指、薬指で上面１をより支え易く、上面２を手の平で保持し、親指、小指で側面１及び側面２の両側面を支えることができるため、さらにより安定に手で支えることのできるスポンジたわしを提供することができる。
【００２１】  スポンジたわしの材料は、例えば、ウレタン、ポリエチレン、ゴムスポンジ、ゴム、メラミンスポンジなどのその他発泡体など、一般的にスポンジたわしに使用されている材料であれば、公知の種々のものを用いることができる。
【００２２】  また、空隙率が９３．４％未満であれば、スポンジを構成する材料、例えばウレタンの占める割合が大きく耐久性が上がるものの水切りが遅くなる。さらに、ウレタンの占める割合が大きくなるとスポンジの圧縮が困難になり、スポンジたわしが食器等によりフィットしながら洗うことが困難になる。一方、９８．３％を超える空隙率であれば、スポンジの圧縮はより容易になり食器等にスポンジたわしがフィットしながら洗うことができ、かつ、水切りは早くなるが、耐久性に劣る。したがって、本考案に係るスポンジたわしでは、前記スポンジたわしにおいて、空隙率が９３．４％〜９８．３％のスポンジを用いることが好ましい。
【００２３】  このような構成にすることにより、スポンジたわしを使用して食器等を洗浄した後のスポンジたわしに付着した水の切りを早くすることができ、雑菌の繁殖を低減させ、悪臭の発生を抑制することができるとともに、圧縮が容易になるため、スポンジたわしが食器等によりフィットしながら洗うことができ、かつ、充分な耐久性を備える。
【実施例】
【００２４】  本考案に係る実施例１〜６のスポンジたわしと比較例１〜３のスポンジたわしを作製して比較した。【００２５】  実施例１〜５、比較例１及び比較例２のスポンジたわしは、それぞれ厚みを変更し、実施例６及び比較例３は、実施例１のスポンジたわしと空隙率の異なるスポンジを用い、実施例１のスポンジたわしと同じ形状で作製した。【００２６】  そして、実施例１〜５、比較例１及び比較例２のスポンジたわしを手で使用した場合に、人差し指、中指、薬指で上面１を支え、上面２を手の平で保持し、親指、小指で側面１及び側面２の両側面を支え、安定に手で支えることができるか否か（以下、安定性）を判断した。【００２７】  さらに、実施例１、実施例６及び比較例３では、スポンジたわしを使用して食器等を洗浄した後のスポンジたわしに付着した水の切りの早さを測定した。【００２８】＜実施例１〜実施例５、比較例１及び比較例２のスポンジたわしの作製＞
空隙率９３．４％の発泡ウレタンスポンジを使用して、実施例１のスポンジたわしの厚みを６０ｍｍ、実施例２のスポンジたわしの厚みを４０ｍｍ、実施例３のスポンジたわしの厚みを５０ｍｍ、実施例４のスポンジたわしの厚みを１００ｍｍ、実施例５のスポンジたわしの厚みを１２５ｍｍとした。比較例１のスポンジたわしの厚みを３５ｍｍ、比較例２のスポンジたわしの厚みを１３０ｍｍとした。  そして、実施例１〜実施例５、比較例１及び比較例２のスポンジたわしの各コーナー１ａ、１ｂ、１ｃの角度が、各９０度、３０度、６０度となるように形成し、１ｄ辺の長さを１１２ｍｍ、１ｅ辺の長さを６５ｍｍとしてスポンジたわしを作製した。実施例１〜５、比較例１及び比較例２のスポンジたわしを手で使用した場合の安定性を判断した結果を表１に示す。【００２９】
【表１】
0003190326.tif 000003
【００３０】  表１に示すように、スポンジたわしの厚みが４０ｍｍ以上１２５ｍｍ以下で構成された本考案に係るスポンジたわしによれば、人差し指、中指、薬指で上面１を支え、上面２を手の平で保持し、親指、小指で側面１及び側面２の両側面を支えることができるため、安定に手で支えることのできるスポンジたわしを提供することができる。【００３１】  さらにスポンジたわしの厚みが５０ｍｍ以上１００ｍｍ以下で構成された本考案に係るスポンジたわしによれば、人差し指、中指、薬指で上面１をより支え易く、上面２を手の平で保持し、親指、小指で側面１及び側面２の両側面を支えることができるため、さらにより安定に手で支えることのできるスポンジたわしを提供することができる。【００３２】＜実施例６及び比較例３のスポンジたわしの作製＞
空隙率９８．３％の発泡ウレタンスポンジを使用して実施例６のスポンジたわしを作製した。また、空隙率９２．０％の発泡ウレタンスポンジを使用して、比較例３のウレタンスポンジを作製した。実施例６及び比較例３のスポンジたわしの形状は実施例１と同様の形状とした。そして、実施例１、実施例６及び比較例３のスポンジたわしに付着した水の切りを早くすることができるか否かを判定した結果を表２に示す。【００３３】  なお、上記「空隙率」は、スポンジたわしの体積を測定した後、３００ｍｌのメスシリンダーに１５０ｍｌの純水を入れ、その中にスポンジたわしを完全に浸漬させた時のメスリンダーの体積変化を測定した。その体積変化をスポンジたわしの体積から引き、その値をスポンジたわしの体積で割った値を空隙率とした。【００３４】  十分に純水に浸漬したスポンジを静かに取り出し重量を測定した後、目開き１．４０ｍｍ、線径０．７１ｍｍのメッシュの上に置き、３０分放置後の重量を浸漬直後の重量で割り、３０分放置後の乾燥率を求めることにより水の切りの早さを判断した。【００３５】
【表２】
0003190326.tif 000004
【００３６】  表２に示すように、空隙率が９３．４％のスポンジたわしでは、空隙率が９２．０％の比較例３のスポンジたわしと比較して、１．４倍以上水切りが早かった。さらに、空隙率が９８．３％のスポンジたわしでは、空隙率が９２．０％のスポンジたわしと比較して、３．２倍以上水切りが早かった。【００３７】  本考案によれば、より安定にスポンジたわしを手で支えながら食器やシンク等の狭い範囲の汚れに対してスポンジたわしを接触させて食器やシンク等の汚れを効率的に落とし、かつ、空隙率が９３．４％〜９８．３％のスポンジを用いることで、スポンジたわしを使用して食器等を洗浄した後のスポンジたわしに付着した水の切りを早くすることができ、雑菌の繁殖を低減させ、悪臭の発生を抑制することができるとともに、圧縮が容易になるため、スポンジたわしが食器等によりフィットしながら洗うことができ、かつ、充分な耐久性を備えるスポンジたわしを供給することはできる。
【産業上の利用可能性】  本考案は、スポンジたわしを製造する産業で利用される。
【符号の説明】
【００３８】１                スポンジたわし
２                側面１
３                上面１
４                上面２
５                側面２
６                底面
７                厚み
１ａ，１ｂ，１ｃ  コーナー
１ｄ，１ｅ        辺
【図１】
0003190326.tif 000005
【図２】
0003190326.tif 000006
【図３】
0003190326.tif 000007